(57)【特許請求の範囲】
【請求項１】
電柱から地面に対して略水平に延びる支持アームの先端部に取り付けられた充電部を覆う変圧器柱簡易防具であって、
絶縁性材料で形成され、前記充電部を下方から覆うカバー部と、
前記カバー部に取り付けられ、前記支持アームに係止される絶縁性材料で形成された取付部と、
前記取付部の下端部に、前後方向に揺動可能に取り付けられた操作部と、
前記操作部を前記電柱方向に揺動させた状態で、前記操作部の下端部を前記電柱に固定する保持部と、から構成されることを特徴とする変圧器柱簡易防具。
【請求項２】
前記取付部が、前記カバー部材に取り付けられた枢結ピンと、前記枢結ピンにより前記枢結ピンを中心に揺動可能に設けられた互いに交差する２つの左右半体とを有して構成され、
前記操作部が、前記左右半体の各々の下端に揺動可能に取り付けられた棒状の左右操作部材で構成され、
前記操作部の前記左右操作部材を左右方向に開閉させることにより、前記左右半体の先端部を開閉させ、その先端部で前記支持アームを把持することにより前記取付部を前記支持アームに係止させるように構成されたことを特徴とする請求項１に記載の変圧器柱簡易防具。
【請求項３】
前記取付部が、上下方向に延びる棒状の基部と、前記基部の上端に設けられ、板状の部材を凸字状に折り曲げて形成された係止部と、前記係止部の内側に形成された凸字状の支持アーム係止空間と外側空間とを連通する挿入通路とを有して構成され、
前記支持アームを前記挿入通路から前記支持アーム係止空間内に挿入し、前記係止部の下面を前記支持アームの上面に当接させることにより、前記取付部を前記支持アームに係止させるように構成されたことを特徴とする請求項１に記載の変圧器柱簡易防具。
【請求項４】
前記取付部が、上下方向に延びる棒状の基部と、前記基部の上端に設けられ、板状の部材を矩形状に折り曲げて形成された係止部と、前記係止部の内側に形成された矩形状の支持アーム係止空間と外側空間とを連通する挿入通路と、前記係止部の下面に前記支持アーム係止空間内に突出するように設けられた少なくとも２個の突起部とを有して構成され、
前記支持アームを前記挿入通路から前記支持アーム係止空間内に挿入し、前記係止部の下面を前記支持アームの上面に当接させるとともに、前記突起部で前記支持アームの側面を挟持することにより、前記取付部を前記支持アームに係止させるように構成されたことを特徴とする請求項１に記載の変圧器柱簡易防具。
【請求項５】
前記カバー部の底部に透視窓が形成され、この透視窓を介して前記カバー部の下方から前記カバー部の上方を目視可能に構成されたことを特徴とする請求項１〜４のいずれかに記載の変圧器柱簡易防具。
【請求項６】
電柱から地面に対して略水平に延びる支持アームの先端部に取り付けられ前記支持アームに直交し、かつ、地面に対して略水平に延びる充電部支持部材に取り付けられた充電部を覆う変圧器柱簡易防具であって、
絶縁性材料で形成され、前記充電部を下方から覆うカバー部と、
絶縁性材料で形成され、後端部が前記カバー部に取り付けられ、前記後端部から斜め上方に延びる先端部が前記充電部支持部材に係止される取付部と、
前記取付部の後端部に設けられ、前記カバー部から突出するように前記電柱方向に延びる操作部と、
前記操作部の前記電柱側の端部を前記電柱に固定する保持部と、から構成されることを特徴とする変圧器柱簡易防具。
【請求項７】
前記取付部の前記先端部が下方に向かって湾曲し、その下面に滑り止めのゴムが設けられていることを特徴とする請求項６に記載の変圧器柱簡易防具。
【請求項８】
前記取付部の前記先端部に、前記先端部を下方に折曲しさらにその下端を前記電柱方向に折曲した係止部を設けたことを特徴とする請求項６に記載の変圧器柱簡易防具。
【請求項９】
前記取付部の前記先端部に上方側から前記電柱方向に向かって折り返した係止部を設け、前記係止部の先端部が下方に向かって湾曲し、その下面に滑り止めのゴムが設けられていることを特徴とする請求項６に記載の変圧器柱簡易防具。
【請求項１０】
電柱から地面に対して略水平に延びる支持アームの先端部に取り付けられ前記支持アームに直交し、かつ、地面に対して略水平に延びる充電部支持部材に取り付けられた充電部を覆う変圧器柱簡易防具であって、
絶縁性材料で形成され、前記充電部を下方から覆うカバー部と、
前記カバー部の一端に取り付けられ、前記充電部支持部材に係止される取付部と、
絶縁性材料で棒状に形成され、前記取付部に着脱可能に取り付けられる操作部と、
前記カバー部の他端に取り付けられ、前記カバー部の他端を前記電柱に固定する保持部とを備え、
前記操作部を操作して前記取付部を前記充電部支持部材に係止させた後に、前記操作部を前記取付部から取り外すことが可能であることを特徴とする変圧器柱簡易防具。
【請求項１１】
前記カバー部が、
棒状に形成され、略平行に延びる第１の枠部材および第２の枠部材と、
前記第１の枠部材および第２の枠部材の間に張り渡された防護部材とから構成され、
前記取付部が前記第１の枠部材に取り付けられ、
前記保持部が前記第２の枠部材に取り付けられていることを特徴とする請求項１０に記載の変圧器柱簡易防具。
【請求項１２】
前記防護部材が、柔軟性を有するシート状に形成されていることを特徴とする請求項１１に記載の変圧器柱簡易防具。
【発明の詳細な説明】
【技術分野】
【０００１】
本発明は、変圧器等の充電部を有する電柱で作業をする際に、作業員がこの充電部に接触するのを防止する変圧器柱簡易防具に関する。
【背景技術】
【０００２】
変圧器が取り付けられた電柱の電力保安用ポイントに通信ケーブルを施工する場合、この電柱に取り付けられた変圧器や高圧カットアウト（磁器製のヒューズを有する高圧開閉器）等の充電部に通信工事作業員が接触するのを防止する必要がある。そのため、通信ケーブル工事に先立って、これらの変圧器や高圧カットアウトを現状より高い位置に付け替える工事を行うことにより、作業員とこれらの充電部との電技上の離隔距離と労働安全衛生上の安全距離とを確保することが行われている。
【０００３】
一方、このような変圧器等の付け替え工事を行うと通信ケーブルの施工までに時間がかかってしまうことや、通信ケーブルの敷設のための工事費が増加してしまうことから、高圧充電部を防具で覆うことにより作業員を高圧充電部から保護する工法も知られている（例えば、特許文献１参照）。この防具は、２本の支持棒の間に張られた絶縁性の耐電圧シートにより充電部を下方から包み込むように電柱に取り付けられ補助ベルトで固定される。
【０００４】
【特許文献１】特開２０００−６０９８２号公報
【発明の開示】
【発明が解決しようとする課題】
【０００５】
しかしながら、このような防具により充電部を覆う際に、耐電圧シートにより充電部を包み込むように取り付ける作業を行わなければならず、この取り付け作業時に、例えば変圧器の低圧充電部に作業員が接触するおそれがあるため、作業員は高圧保護具（絶縁性のゴム手袋、ゴム長靴、活線肩当、等）を装着する必要があり、取り付け作業に手間がかかるとともに、作業員に負担がかかってしまうという課題がある。また、このような防具は構成部品が多く、それぞれの組み立てを電柱に昇柱した状態で行う必要があるため、作業時間を要し、また、部材の落下等の危険性、耐電圧シートを支持棒で張り上げる構造であることから、風圧や降雨の影響により脱落の危険性がある。
【０００６】
本発明はこのような課題に鑑みてなされたものであり、簡単な取り付け作業で、作業員が充電部に接触することを防止することができる変圧器柱簡易防具を提供することを目的とする。
【課題を解決するための手段】
【０００７】
前記課題を解決するために、第１の本発明に係る変圧器柱簡易防具は、電柱（例えば、実施形態における変圧器柱５０）から地面に対して略水平に延びる支持アームの先端部に取り付けられた充電部を覆うものであり、絶縁性材料で形成され、充電部を下方から覆うカバー部と、このカバー部に取り付けられ、支持アームに係止される絶縁性材料で形成された取付部と、この取付部の下端部に、前後方向に揺動可能に取り付けられた操作部と、操作部を電柱方向に揺動させた状態で、この操作部の下端部を電柱に固定する保持部（例えば、実施形態におけるベルト４３およびバックル４４）と、から構成される。
【０００８】
このような第１の本発明に係る変圧器柱簡易防具は、取付部が、カバー部材に取り付けられた枢結ピンと、この枢結ピンにより枢結ピンを中心に揺動可能に設けられた互いに交差する２つの左右半体とを有して構成され、操作部が、左右半体の各々の下端に揺動可能に取り付けられた棒状の左右操作部材で構成され、操作部の左右操作部材を左右方向に開閉させることにより、左右半体の先端部を開閉させ、その先端部で支持アームを把持することにより取付部を支持アームに係止させるように構成することが好ましい。
【０００９】
または、取付部が、上下方向に延びる棒状の基部と、この基部の上端に設けられ、板状の部材を凸字状に折り曲げて形成された係止部と、この係止部の内側に形成された凸字状の支持アーム係止空間と外側空間とを連通する挿入通路とを有して構成され、支持アームを挿入通路から支持アーム係止空間内に挿入し、係止部の下面を支持アームの上面に当接させることにより、この取付部を支持アームに係止させるように構成することが好ましい。
【００１０】
あるいは、取付部が、上下方向に延びる棒状の基部と、この基部の上端に設けられ、板状の部材を矩形状に折り曲げて形成された係止部と、この係止部の内側に形成された矩形状の支持アーム係止空間と外側空間とを連通する挿入通路と、係止部の下面に支持アーム係止空間内に突出するように設けられた少なくとも２個の突起部とを有して構成され、支持アームを挿入通路から支持アーム係止空間内に挿入し、係止部の下面を支持アームの上面に当接させるとともに、突起部で支持アームの側面を挟持することにより、取付部を支持アームに係止させるように構成することが好ましい。
なお、このような第１の本発明に係る変圧器柱簡易防具において、カバー部の底部に透視窓が形成され、この透視窓を介してカバー部の下方からカバー部の上方を目視可能に構成することが好ましい。
【００１１】
また、第２の本発明に係る変圧器柱簡易防具は、電柱から地面に対して略水平に延びる支持アームの先端部に取り付けられ支持アームに直交し、かつ、地面に対して略水平に延びる充電部支持部材に取り付けられた充電部を覆うものであり、絶縁性材料で形成され、充電部を下方から覆うカバー部と、絶縁性材料で形成され、後端部がカバー部に取り付けられ、後端部から斜め上方に延びる先端部が充電部支持部材に係止される取付部と、この取付部の後端部に設けられ、カバー部から突出するように電柱方向に延びる操作部と、この操作部の電柱側の端部を電柱に固定する保持部と、から構成される。
【００１２】
このような第２の本発明に係る変圧器柱簡易防具は、取付部の先端部が、下方に向かって湾曲し、その下面に滑り止めのゴムが設けられていることが好ましい。
【００１３】
または、取付部の先端部に、この先端部を下方に折曲しさらにその下端を電柱方向に折曲した係止部を設けることが好ましい。
【００１４】
あるいは、取付部の先端部に上方側から電柱方向に向かって折り返した係止部を設け、その係止部の先端部が下方に向かって湾曲し、その下面に滑り止めのゴムが設けられていることが好ましい。
【００１６】
さらに、第３の本発明に係る変圧器柱簡易防具は、電柱から地面に対して略水平に延びる支持アームの先端部に取り付けられ支持アームに直交し、かつ、地面に対して略水平に延びる充電部支持部材に取り付けられた充電部を覆うものであり、絶縁性材料で形成され、充電部を下方から覆うカバー部と、このカバー部の一端に取り付けられ、充電部支持部材に係止される取付部と、絶縁性材料で棒状に形成され、取付部に着脱可能に取り付けられる操作部と、カバー部の他端に取り付けられ、このカバー部の他端を電柱に固定する保持部（例えば、実施形態におけるベルト３２１）とを備え、操作部を操作して取付部を充電部支持部材に係止させた後に、操作部を取付部から取り外すことが可能であることを特徴とする。
【００１７】
このような第３の本発明に係る変圧器柱簡易防具において、カバー部が、棒状に形成され、略平行に延びる第１の枠部材および第２の枠部材と、第１の枠部材および第２の枠部材の間に張り渡された防護部材とから構成され、取付部が第１の枠部材に取り付けられ、保持部が第２の枠部材に取り付けられていることが好ましい。
【００１８】
このとき、防護部材が、柔軟性を有するシート状に形成されていることが好ましい。
【発明の効果】
【００１９】
第１および第２の本発明に係る変圧器柱簡易防具によると、簡単な取り付け操作で充電部をカバー部で覆うことができるため、作業員は、安全な状態で、この充電部の下方に位置する電力保安用通信ケーブル添架ポイント（以下「電力保安用ポイント」と呼ぶ）に対する通信ケーブルの敷設作業に短時間で移行することができる。また、作業員は、取付部と操作部により、充電部から所定の間隔だけ離れた下方からこの充電部に本発明に係る変圧器柱簡易防具を取り付ける作業を行うことができるため、感電するおそれがなく、作業員が高圧保護具を装着する必要が無い。さらに、カバー部は剛性の材料で形成することにより、作業員が通信の敷設作業中にこのカバー部と接触しても、カバー部が破損するおそれは低い。
【００２０】
また、第３の本発明に係る変圧器柱簡易防具によっても、簡単な取り付け操作で充電部をカバー部で覆うことができるため、作業員は、安全な状態で、この充電部の下方に位置する電力保安用ポイントに対する通信ケーブルの敷設作業に短時間で移行することができる。また、この第３の本発明に係る変圧器柱簡易防具は、操作部を取付部に対して着脱可能であるため、充電部を覆っているときは、操作部を取り外すことができ、この変圧器柱簡易防具の下方の空間に突出する部材がなくなり、作業員の作業空間を十分に確保することができる。また、防護部材を柔軟性を有するシート状に形成することにより、充電部や変圧器の下部に突出する部材が取り付けられていたとしても、この防護部材で覆うことができる。あるいは、防護部材を剛性を有する板状に形成することにより、作業員がこの防護部材を下方から押し上げても、防護部材で覆われている部分より上部に体位が移動することはなく安全である。
【発明を実施するための最良の形態】
【００２１】
以下、本発明の好ましい実施形態について図面を参照して説明する。まず、図１６および図１７を用いて、本発明に係る変圧器柱簡易防具（以下、「簡易防具」と呼ぶ）が取り付けられる変圧器柱５０について説明する。図１６に示す変圧器柱５０は、例えばコンクリートで形成された細長い円柱状に形成されており、地面に埋入されて固定されている。この変圧器柱５０には互いに平行に配置され、地面に対して略水平方向に延びる２本の支持アーム（「腕金」とも呼ばれる）５１が取り付けられ、この支持アーム５１上の変圧器柱５０側に、板部材５２を介して変圧器５３が載置されている。なお、この変圧器５３は、図示しないバンド等で変圧器柱５０に固定されている。
【００２２】
支持アーム５１の先端側の上部には棒状に形成されてこの２本の支持アーム５１と直交する方向で、かつ、地面に対して略水平に延びる充電部支持部材５４が取り付けられており、この充電部支持部材５４の変圧器柱５０側の側面に高圧カットアウト５５が取り付けられ、反対側の側面に高圧ピン端子５６が取り付けられている。
【００２３】
変圧器柱５０の上端部には左右に延びる高圧線支持部材５８が取り付けられており、その上端部に地面と略平行に延びる高圧配電線５９が取り付けられて支持されている。また、この高圧線支持部材５８と変圧器５３との間の変圧器柱５０には、上下に並んだ低圧配電線６０がそれぞれ低圧線支持部材６１により固定され支持されている。
【００２４】
この高圧配電線５９から、高圧側リード線６２が略垂直下方に延び、高圧ピン端子５６で固定されて高圧カットアウト５５に接続され、さらに、この高圧カットアウト５５から変圧器５３の高圧側に接続されている。また、変圧器５３の低圧側から低圧側リード線６３が変圧器柱５０に沿って取り付けられ低圧配電線６０に接続されている。
【００２５】
このように、変圧器柱５０は、変圧器５３により高圧配電線５９から供給される高圧電力を低圧電力に降圧して低圧配電線６０に供給するように構成されており、以降の説明においては、高圧電力が印加されている支持アーム５１の先端部（変圧器５３の高圧側接続部、充電部支持部材５４、高圧カットアウト５５、および、高圧ピン端子５６）を充電部５７と呼ぶ。
【００２６】
なお、図１７に示すように、支持アーム５１を１本で構成し、その先端部に充電部５７を設けた構成とすることも可能である。なお、この場合、変圧器５３はこの支持アーム５１とは別の部材で変圧器柱５０に固定される。
【００２７】
変圧器５３の下方の変圧器柱５０の側面には、電力設備の保安のために用いられる通信線を取り付けて支持するための電力保安用ポイント６４が設けられており、また、その下方には一般の共架線やＮＴＴの通信線を保持するためのその他用ポイント６５が設けられている場合もある。それでは、この電力保安用ポイント６４に通信線を敷設する工事を行う場合に、充電部５７から作業員を保護する簡易防具について説明する。
【実施例１】
【００２８】
まず、第１実施例として簡易防具１０の構成について図１〜図５を用いて説明する。なお、以降の説明においては、図２に示す矢印Ｆ方向を前方として説明する。この簡易防具１０は、剛性の絶縁性材料で形成されたカバー部２０、このカバー部２０を変圧器柱５０の充電部５７に取り付けるための取付部３０、および、取付部３０に接続されてこの取付部３０を操作する操作部４０から構成されている。
【００２９】
カバー部２０は、上方が開口した開口部２１を有し、平面視において略矩形状の碗状に形成されており、このカバー部２０の内部に充電部挿入空間２２が形成されている。また、前方側の壁部２３に、上端から開口して凹状に切り欠かれたアーム挿入部２４が形成され、カバー部２０の前方側外部と充電部挿入空間２２とが連通している。また、カバー部２０の底部２５には取付部３０が上下方向に貫通する貫通孔２６が形成されており、また、この貫通孔２６の前方側の底部２５に充電部挿入空間２２内に突出するように固定部２７が形成されている。なお、この固定部２７には、後部側面が開口した枢結軸保持孔２７ａが形成されている。さらに、底部２５の貫通孔２６の後方側に、透視窓２８が形成されている。この透視窓２８にはポリカーボネート等で形成された透明な板が取り付けられている。
【００３０】
取付部３０は、絶縁性の素材で形成された左半体３１、および、右半体３２から構成されている。この左半体３１および右半体３２は、上端側の先端部３１ａ，３２ａが爪状に形成されており、また、略中央部で互いに交差するように構成されており、先端部３１ａ，３２ａに囲まれて把持空間３３が形成されている。そして、この左右半体３１，３２が交差する部分に、位置整合して前後方向に貫通する軸取付孔３４が形成されており、枢結ピン３５が挿入される。この枢結ピン３５はカバー部２０に形成された固定部２７の枢結軸保持孔２７ａに圧入されるか若しくは螺挿されて取り付けられている。
【００３１】
そのため、左右半体３１，３２の先端部３１ａ，３２ａはカバー部２０の充電部挿入空間２２内に位置することになり、また、この左右半体３１，３２の下端部３１ｂ，３２ｂを左右方向に開閉操作することにより、枢結ピン３５を中心に左右半体３１，３２を揺動させて、先端部３１ａ，３２ａが開閉するように構成されている。なお、図５に示すように、左右半体３１，３２の間には、軸取付孔３４を囲むようにバネ部材３６が取り付けられており、下端部３１ｂ，３２ｂに対して左右方向に開く力が働いていないときは、このバネ部材３６により、先端部３１ａ，３２ａが閉じるように構成されている。
【００３２】
操作部４０は、棒状の左右操作部材４１，４２から構成されており、それぞれ、左右半体３１，３２の下端部に前後方向に揺動可能に取り付けられている。この左右操作部材４１，４２の下端部にはグリップ部４１ａ，４２ａが形成されており、作業員がこのグリップ部４１ａ，４２ａを把持して簡易防具１０の取り付け操作を行うように構成されている。このグリップ部４１ａ，４２ａの一方の端部にはベルト４３が取り付けられ、他方の端部にはバックル４４が取り付けられている。
【００３３】
それでは、図６を用いて、この簡易防具１０を変圧器柱５０の充電部５７に装着する方法について説明する。まず、作業員は高所作業車の作業台等に搭乗して充電部５７の下方に近づく。このとき、作業員は、充電部５７の高圧ピン端子５６にカバー部２０の前端部が向くように簡易防具１０を保持する。そして、取付部３０に対して操作部４０が下方に真っ直ぐ延びた状態でグリップ部４１ａ，４２ａを握って左右方向に開き、取付部３０の先端部３１ａ，３２ａを開いてこの先端部３１ａ，３２ａで囲まれた把持空間３３に支持アーム５１を挿入する。このとき、カバー部２０の前側壁部２３にはアーム挿入部２４が形成されているため、支持アーム５１がアーム挿入部２４に挿入されることにより、カバー部２０の前側の壁部２３と支持アーム５１とが干渉することはなく、カバー部２０で囲まれた充電部挿入空間２２内に充電部５７が挿入される。
【００３４】
この簡易防具１０において、カバー部２０の底部２５には透視窓２８が形成されているため、作業員は取付部３０の状態をこの透視窓２８を通して目視できるため、把持空間３３に支持アーム５１を挿入するのは容易である。そして、操作部４０を閉じると、取付部３０の先端部３１ａ，３２ａも閉じて、この取付部３０が支持アーム５１に係止される。最後に、取付部３０に対して操作部４０を前方に揺動させ、この操作部４０の下端に取り付けられたベルト４３を変圧器柱５０に掛け回してバックル４４で係止することにより、操作部４０を変圧器柱５０に固定することができるとともに、簡易防具１０全体を取付部３０とともに変圧器柱５０に固定することができる。
【００３５】
第１実施例に係る簡易防具１０を以上のように構成すると、簡単な操作で充電部５７を覆うことができるため、電力保安用ポイント６４に対する通信ケーブルの敷設作業に短時間で移行することができる。また、作業員は、取付部３０と操作部４０により、充電部５７から所定の間隔だけ離れた下方からこの充電部５７に簡易防具１０を取り付ける作業を行うことができるため、感電するおそれがなく、作業員が高圧保護具を装着する必要が無い。さらに、カバー部２０は剛性の材料で形成されているため、作業員が通信の敷設作業中にこのカバー部２０と接触しても、カバー部２０が破損するおそれは低い。なお、カバー部２０を碗型に形成しているため、充電部５７の側方もこのカバー部２０で覆われるため、作業員が充電部５７と接触する可能性を低くすることができる。
【００３６】
このような簡易防具１０において、取付部３０の把持空間３３を十分大きく形成すれば、図１６（ｂ）に示すような２本の支持アーム５１を同時に１個の取付部３０で把持するように構成することが可能であり、１個の簡易防具１０で充電部５７全体を覆うことができる。あるいは、２本ある支持アーム５１の各々に対して簡易防具１０を取り付けて、充電部５７を構成する高圧カットアウト５５と高圧ピン端子５６の組をそれぞれ別個の簡易防具１０で覆うように構成することも可能である。
【００３７】
なお、以上の説明においては、カバー部２０を碗状に構成して充電部５７を下方から包み込むように取り付けた場合について説明したが、作業員はこの簡易防具１０の下方に位置する電力保安用ポイント６４に対して作業を行うため、カバー部２０を平板状に構成し、下方から充電部５７を覆うように構成しても良い。
【実施例２】
【００３８】
次に第２実施例として、図７〜図９に示す簡易防具１００について説明する。この簡易防具１００は、第１実施例と同様の形状をしたカバー部１２０、このカバー部１２０に固定された取付部１３０、および、取付部１３０の下端に取り付けられた操作部１４０から構成される。
【００３９】
カバー部１２０は、第１実施例におけるカバー部２０と同様に、上方が開口した開口部１２１を有し、平面視において略矩形状の碗状に形成されており、このカバー部１２０の内部に充電部挿入空間１２２が形成されている。また、前方側の壁部１２３に、上端から開口するアーム挿入部１２４が形成され、カバー部１２０の前方側外部と充電部挿入空間１２２とが連通している。また、カバー部１２０の底部１２５には、図示しないが、第１実施例と同様に透視窓が形成されるか、若しくは、この底部１２５が透明な絶縁性材料で形成されて、充電部挿入空間１２２を下方から目視可能に構成されている。
【００４０】
図９において、取付部１３０は、上下方向に延びる棒状の基部１３１、および、この基部１３１の先端に形成された係止部１３２とから構成されている。係止部１３２は、板状の部材が折り曲げられた形状を有しており、基部１３１に対して直交する方向に延びる固定部１３２ａ、固定部１３２ａの端部から上方に折曲して延びる第１壁部１３２ｂ、第１壁部１３２ｂの上端部から水平方向に折曲して延びる第１天板部１３２ｃ、第１天板部１３２ｃの端部から上方に折曲して延びる第２壁部１３２ｄ、第２壁部１３２ｄの上端部から水平方向に折曲して延びる第２天板部１３２ｅ、第２天板部１３２ｅの端部から下方に折曲して延びる第３壁部１３２ｆ、第３壁部１３２ｆの下端から水平方向に折曲して延びる第３天板部１３２ｇ、第３天板部１３２ｇの端部から下方に折曲して延びる第４壁部１３２ｈ、第４壁部１３２ｈの下端から水平方向であって、基部１３１側に向かって延びる巻き込み部１３２ｊ、および、この巻き込み部１３２ｊの端部より上方に折曲して延びる爪部１３２ｋから構成され、断面凸字状に形成され、前後方向に延びる支持アーム係止空間１３３が形成されている。また、この係止部１３２の巻き込み部１３２ｊ側の下方には、固定部１３２ａと巻き込み部１３２ｊとの間に、側方外部と支持アーム係止空間１３３とを繋ぐ挿入通路１３４が形成されている。
【００４１】
取付部１３０は基部１３１がカバー部１２０の底部１２５を貫通して、カバー部１２０の下面から下方に突出するように取り付けられ、固定部１３２ａの下面がカバー部１２０の底部１２５に固定されている。このとき、支持アーム係止空間１３１が、カバー部１２０の前後方向に延びるように取付部１３０が固定される。
【００４２】
操作部１４０は一本の棒状部材１４１から構成され、取付部１３０の下端部に、前後方向に揺動可能に取り付けられている。この棒状部材１４１の下端部には作業員が把持するグリップ部１４１ａが形成され、その下端にはベルト１４２が取り付けられている。
【００４３】
このように構成された簡易防具１００を変圧器柱５０の充電部５７に装着するときは、支持アーム５１に対して、側方から取付部１３０を接近させ、支持アーム５１を、挿入通路１３４を通過させて支持アーム係止空間１３３に挿入する。支持アーム５１が、図１６（ｂ）に示すように２本で構成されるときは、一方の支持アーム５１を第３天板部１３２ｇ、第４壁部１３２ｈ、巻き込み部１３２ｊ、および、爪部１３２ｋで構成される空間に挿入して第３天板部１３２ｇを支持アーム５１に当接させ、他方の支持アーム５１に第１天板部１３２ｃを当接させて、取付部１３０を２本の支持アーム５１に係止する。このとき、一方の支持アーム５１は、第３天板部１３２ｇ、第４壁部１３２ｈ、巻き込み部１３２ｊ、および、爪部１３２ｋで巻き込まれるため、取付部１３０が安定して支持アーム５１に係止される。そのため、取付部１３０は、可撓性を有する材料で形成される。
【００４４】
一方、図１７に示すように支持アーム５１が一本で構成されるときは、図９に示すように、第２壁部１３２ｄ、第２天板部１３２ｅ、および、第３壁部１３２ｆで囲まれた空間にこの支持アーム５１が挿入され、取付部１３０が支持アーム５１に係止される。このときも、支持アーム５１が第２および第３壁部１３２ｄ，１３２ｆで挟まれるため、取付部１３０が安定して支持アーム５１に係止される。
【００４５】
そして最後に、取付部１３０に対して操作部１４０を前方に（変圧器柱５０の方向に）揺動させ、この操作部１４０の下端に取り付けられたベルト１４２を変圧器柱５０に掛け回してバックル若しくはベルクローで固定することにより、操作部１４０を変圧器柱５０に固定することができるとともに、簡易防具１００全体を取付部１３０とともに変圧器柱５０に固定することができる。
【００４６】
このように、第２実施例に係る簡易防具１００によっても簡単な操作で充電部５７を覆うことができ、第１実施例と同様の効果を得ることができる。
【００４７】
なお、支持アーム５１に係止される取付部を、図１０に示す取付部１３０′のような形状に構成することも可能である。すなわち、基部１３１′の上端部に背面視において矩形状に形成された係止部１３２′を設け、この係止部１３２′を、基部１３１′から側方に延びる固定部１３２ａ′、固定部１３２ａ′の端部から上方に折曲して延びる第１壁部１３２ｂ′、この第１壁部１３２ｂ′から水平方向に折曲して延びる天板部１３２ｃ′、天板部１３２ｃ′の端部から下方に折曲して延びる第２壁部１３２ｄ′、および、第２壁部１３２ｄ′の下端から水平方向に折曲して延びる爪部１３２ｅ′から構成する。また、天板部１３２ｃ′の下面に、下方に突出する４個の突起部１３２ｆ′〜１３２ｉ′を形成する。
【００４８】
この取付部１３０′を以上のように構成すると、係止部１３２′で囲まれた支持アーム係止空間１３３′に挿入された支持アーム５１に天板部１３２ｃ′が当接したときに、これらの突起部１３２ｆ′〜１３２ｉ′で支持アーム５１の側部を挟持することができるため、取付部１３０′を安定して支持アーム５１に係止することができる。例えば、図１６（ｂ）に示すように、支持アーム５１が２本で構成されているときは、一方の支持アーム５１が第１壁部１３２ｂ′と突起部１３２ｆ′で挟持され、他方の支持アーム５１が突起１３２ｉ′、第２壁部１３２ｄ′、および、巻き込み部１３２ｅ′で挟持される。また、図１７に示すように、１本の支持アーム５１で構成されているときは、突起部１３２ｇ′，１３２ｈ′で挟持される。
【００４９】
なお、この第２実施例においても、カバー部１２０を平板状に形成し、下方から充電部５７を覆うように構成しても良い。また、１個の簡易防具１００で充電部５７全体を覆うように構成しても良いし、充電部５７を構成する高圧カットアウト５５と高圧ピン端子５６の組をそれぞれ別個の簡易防具１００で覆うように構成しても良い。
【実施例３】
【００５０】
以上で説明した第１および第２実施例は、係止部３０，１３０を支持アーム５１に係止する場合について説明したが、第３実施例として、高圧カットアウト５５や高圧ピン端子５６が取り付けられた充電部支持部材５４に係止するように構成された簡易防具２００について、図１１および図１２を用いて説明する。なお、この第３実施例においては、図１１に示した矢印Ｆの方向を前方として説明する。
【００５１】
この簡易防具２００は、上方が開口した碗状のカバー部２２０と、このカバー部２２０に取り付けられた取付部２３０と、取付部２３０の後方に延びる操作部２４０とから構成される。取付部２３０は、前後方向に延びて、カバー部２２０の底面の後部に固定された２本の固定部２３０ａ、および、２本の固定部２３０ａの前端部が１本に合流して前方に延びる係止部２３０ｂから構成される。この係止部２３０ｂは、カバー部２２０の底部から上方に離れるように延びて構成され、先端部は下方に湾曲している。そして、この係止部２３０ｂの先端部の下面には滑り止めのゴム２３０ｃが取り付けられている。また、操作部２４０は、取付部２３０の２本の固定部２３０ａの後端部から連続して、カバー部２２０の後端部から後方に突出するように、後方に延びるように形成されており、この操作部２４０の後端部にはグリップ部２４０ａが形成されている。
【００５２】
作業員は、操作部２４０のグリップ部２４０ａを把持して、充電部５７に対して変圧器柱５０側から接近し、係止部２３０ｂの先端部とカバー部２２０との間に充電部支持部材５４を挿入して、この先端部を充電部支持部材５４に係止する。このとき、先端部の下面には滑り止めゴム２３０ｃが取り付けられているため、取付部２３０は安定して充電部支持部材５４に係止される。最後に、操作部２４０のいずれか一方の後端部に取り付けられたベルト２４１を変圧器柱５０に掛け回し、他方の操作部２４０の後端部に取り付けられたバックル２４２で固定することにより、この簡易防具２００を変圧器柱５０に固定することができ、カバー部２２０により、充電部５７を下方から覆うことができる。
【００５３】
なお、取付部２３０の先端部（係止部２３０ｂ）は、図１３に示すように、側面視において矩形状に形成することができる。すなわち、前方で上方に延びた係止部２３０ｂを下方に折曲し、さらにその下端を後方に折曲し、最後に後端部を上方に折曲して爪部を形成することにより、後方側が開口した形状にしても良い。あるいは、図１４に示すように、上方から後方に向かって湾曲した形状にしても良い。取付部２３０をこの図１４のように構成した場合は、係止部２３０ｂを一旦、充電部支持部材５４より前方に位置させて、この係止部２３０ｂの後方側から係止部２３０ｂで囲まれた空間に充電部支持部材５４を挿入して係止するように取り付けられる。この場合（特に、図１４に示す場合）も、係止部２３０ｂの下面に滑り止めゴム２３０ｃが取り付けられているため、取付部２３０は安定して充電部支持部材５４に係止される。
【００５４】
あるいは、図１５に示すように、取付部２３０と操作部２４０とを連続する一本の棒状部材で構成することも可能である。このとき、操作部２４０の後端部には、上述のベルトおよびバックルの代わりに、弾性を有するひも状部材（例えば、ゴムひも）２４１′を取り付け、さらに、その先端にＳ字状の金具（「Ｓカン」と呼ばれる）２４２′を取り付けて構成することができる。この簡易防具２００′を変圧器柱５０に固定するときは、ひも状部材２４１′を変圧器柱５０に掛け回した状態でＳカン２４２′をこのひも状部材２４１′に引っかけ、さらに操作部２４０側にあるひも状部材２４１′をひっぱることでこのひも状部材２４１′が変圧器柱５０に固定される。
【００５５】
また、この第３実施例においても、カバー部２２０を平板状に形成し、下方から充電部５７を覆うように構成しても良い。また、１個の簡易防具２００で充電部５７全体を覆うように構成しても良いし、充電部５７を構成する高圧カットアウト５５と高圧ピン端子５６の組をそれぞれ別個の簡易防具２００で覆うように構成しても良い。
【００５６】
このように、第３実施例に係る簡易防具２００によっても簡単な操作で充電部５７を覆うことができ、第１および第２実施例と同様の効果を得ることができる。
【実施例４】
【００５７】
次に、第４実施例として、操作部を取り外せるように構成した簡易防具３００について、図１８〜図２１を用いて説明する。この簡易防具３００は、カバー部３２０、取付部３３０、および、操作部３４０から構成される。
【００５８】
カバー部３２０は、左右方向に平行に延び、棒状に形成された第１の枠部材３２０ａおよび第２の枠部材３２０ｂと、この第１および第２の枠部材３２０ａ，３２０ｂの間に張り渡され、絶縁性を有する材料で形成された柔軟性を有するシート状の防護部材３２０ｃから構成される。なお、第１および第２の枠部材３２０ａ，３２０ｂも絶縁性を有する材料で形成されていることが望ましい。このカバー部３２０を構成する第２の枠部材３２０ｂの左右方向略中央部には紐状のベルト３２１が取り付けられている。このベルト３２１は、例えば、ゴム紐等の弾性を有する部材で形成されていることが好ましい。
【００５９】
取付部３３０は、第１の枠部材３２０ａの左右方向略中央部の後側に取り付けられた基部３３０ａと、この基部３３０ａから上方に延び、さらに後方から下方に向かって折り返されて、側面視において逆Ｊ字状に形成された係止部３３０ｂから構成される。また、この取付部３３０の基部３３０ａの後面には、後方に突出する接続部３３０ｃが形成されており、さらにこの接続部３３０ｃの後面には、この接続部３３０ｃ内に、斜め上方でかつ前方に向かって凹状の接続孔３３０ｄが形成されている。この取付部３３０も絶縁性を有する材料で形成されていることが望ましい。
【００６０】
一方、操作部３４０は、棒状に形成され絶縁性を有する材料からなる本体３４０ａと、この本体３４０ａの先端部に形成された嵌合部３４０ｂと、本体３４０ａの下端部に形成されたグリップ部３４０ｃとから構成される。なお、この操作部３４０は、ホットスティックと呼ばれる絶縁棒を用いることもできる。この操作部３４０は、嵌合部３４０ｂを取付部３３０の接続孔３３０ｄに挿抜することにより、取付部３３０に対して着脱可能に構成されている。操作部３４０を取付部３３０に接続すると、図１８に示すように、取付部３３０に対して操作部３４０は斜め下方に延びるように取り付けられる。すなわち、操作部３４０の延長線上に取付部３３０の係止部３３０ｂが延びるように構成されている。なお、取付部３３０（接続部３３０ｃ）の接続孔３３０ｄと操作部３４０の嵌合部３４０ｂとの間には、取付部３３０から容易に操作部３４０が抜けないようにするためのロック機構が設けられていることが好ましい。例えば、接続孔３３０ｄに嵌合部３４０ｂが挿入されて取付部３３０に操作部３４０が接続されている状態では、操作部３４０を取付部３３０に対して捻りながら（回転させながら）引かないとこの操作部３４０を取付部３３０から外すことができないようなロック機構が設けられている。
【００６１】
このように構成された簡易防具３００を変圧器柱５０の充電部５７に装着するときは、図１８に示すように、取付部３３０に操作部３４０を接続し、作業員は操作部３４０のグリップ部３４０ｃを把持して、充電部５７に対して下方かつ変圧器柱５０側から接近し、係止部３３０ｂを充電部支持部材５４に対して外側（変圧器柱５０に対して反対側）から引っかけて係止させる。そして、操作部３４０を斜め下方に引くと（上述のロック機構を有する場合は、操作部３４０を捻りながら斜め下方に引くと）、取付部３３０から操作部３４０が外れ、充電部支持部材５４に係止された取付部３３０に対して左右に延びるように取り付けられた第１の枠部材３２０ａから下方にシート状の防護部材３２０ｃが垂れ下がる。最後に、図２１に示すように、第２の枠部材３２０ｂ若しくはベルト３２１を変圧器柱５０側に引き寄せ、ベルト３２１を変圧器柱５０にかけ回してこの変圧器柱５０に固定する（例えば、結ぶ）ことにより第２の枠部材３２０ｂを固定すると、カバー部３２０の防護部材３２０ｃが、充電部５７の下方に広がり、この防護部材３２０ｃにより充電部５７を下方から覆うことができる。なお、図１８に示すように、このベルト３２１を紐部３２１ａとその先端に取り付けられたＳ字状のフック３２１ｂとから構成すると、変圧器柱５０に掛け回した紐部３２１ａ（第２の枠部材３２０ｂへの取り付け部近傍）にフック３２１ｂを引っかけることにより、簡単にベルト３２１を変圧器柱５０に固定することができる。
【００６２】
このように、第４施例に係る簡易防具３００によっても簡単な操作で充電部５７を覆うことができ、第１〜第３実施例と同様の効果を得ることができる。このとき、簡易防具３００は、操作部３４０を取付部３３０に対して着脱可能であるため、この簡易防具３００が充電部５７を覆っているときは、操作部３４０を取り外すことができる。そのため、簡易防具３００の下方の空間に突出する部材（すなわち操作部３４０）がなくなり、作業員の作業空間を十分に確保することができる。また、防護部材３２０ｃを、柔軟性を有するシート状に形成することにより、充電部５７や変圧器５６の下部に突出する部材が取り付けられていたとしても、この防護部材３２０ｃで覆うことができる。
【００６３】
なお、以上の説明では、カバー部３２０を構成する防護部材３２０ｃを柔軟性を有するシート状の絶縁材料で形成した場合について説明したが、この防護部材３２０ｃを絶縁性を有するとともに剛性を有する板状の部材で構成することも可能である。この場合、この防護部材３２０ｃは、第１の枠部材３２０ａに対して揺動可能に構成される。これにより、取付部３３０が充電部支持部材５４に係止された状態で第１の枠部材３２０ａに対してカバー部３２０の防護部材３２０ｃを後方（変圧器柱５０側）に揺動させることにより、充電部５７を下方から覆うことができる。このように防護部材３２０ｃに剛性を持たせることにより、作業員がこの防護部材３２０ｃを下方から押し上げても、防護部材３２０ｃで覆われている部分より上部に体位が移動することはなく安全である。
【図面の簡単な説明】
【００６４】
【図１】本発明の第１実施例に係る変圧器柱簡易防具を示す斜視図である。
【図２】上記変圧器柱簡易防具の平面図である。
【図３】上記変圧器柱簡易防具のカバー部の要部拡大図である。
【図４】上記変圧器柱簡易防具の図２におけるＶＩ−ＶＩ断面図である。
【図５】上記変圧器柱簡易防具の取付部の要部拡大図である。
【図６】上記変圧器柱簡易防具を変圧器柱の充電部に取り付けたときの状態を示す側面図である。
【図７】本発明の第２実施例に係る変圧器柱簡易防具を示す要部の斜視図である。
【図８】上記変圧器柱簡易防具の要部の側面図である。
【図９】図８のＩＸ−ＩＸ断面図である。
【図１０】第２実施例に係る取付部の別の構成を示す図である。
【図１１】本発明の第３実施例に係る変圧器柱簡易防具の側面図である。
【図１２】上記変圧器柱簡易防具の平面図である。
【図１３】取付部の別の構成を示す図である。
【図１４】取付部の別の構成を示す図である。
【図１５】第３実施例に係る変圧器柱簡易防具において、取付部および操作部を一本の棒状部材で構成した場合の構成を示す平面図である。
【図１６】本発明に係る変圧器柱簡易防具が取り付けられる変圧器柱を示す図であり、（ａ）は側面図であり、（ｂ）は支持アームを２本で構成した場合の平面図である。
【図１７】上記変圧器柱において、支持アームを１本で構成した場合の平面図である。
【図１８】第４実施例に係る変圧器柱簡易防具の斜視図である。
【図１９】第４実施例に係る変圧器柱簡易防具の操作部を示す図である。
【図２０】第４実施例に係る変圧器柱簡易防具の取付部を示す図である。
【図２１】第４実施例に係る変圧器柱簡易防具を変圧器柱の充電部に取り付けたときの状態を示す側面図である。
【符号の説明】
【００６５】
１０，１００，２００  変圧器柱簡易防具
２０，１２０，２２０  カバー部
３０，１３０，２３０  取付部
３１  左半体
３２  右半体
４０，１４０，２４０  操作部
４１  左操作部（棒状部材）
４２  右操作部（棒状部材）
４３，１４２，２４１  ベルト（保持部）
４４，２４２  バックル（保持部）
５０  変圧器柱（電柱）
５１  支持アーム
５７  充電部
３００  変圧器柱簡易防具
３２０  カバー部
３２０ａ  第１の枠部材
３２０ｂ  第２の枠部材
３２０ｃ  防護部材
３２１  ベルト（保持部）
３３０  取付部
３４０  操作部
【図１】
0004573180.tif 000002
【図２】
0004573180.tif 000003
【図３】
0004573180.tif 000004
【図４】
0004573180.tif 000005
【図５】
0004573180.tif 000006
【図６】
0004573180.tif 000007
【図７】
0004573180.tif 000008
【図８】
0004573180.tif 000009
【図９】
0004573180.tif 000010
【図１０】
0004573180.tif 000011
【図１１】
0004573180.tif 000012
【図１２】
0004573180.tif 000013
【図１３】
0004573180.tif 000014
【図１４】
0004573180.tif 000015
【図１５】
0004573180.tif 000016
【図１６】
0004573180.tif 000017
【図１７】
0004573180.tif 000018
【図１８】
0004573180.tif 000019
【図１９】
0004573180.tif 000020
【図２０】
0004573180.tif 000021
【図２１】
0004573180.tif 000022